(57)【要約】【課題】固定リングの拡縮径及び固定を確実かつ速やかにできるようにする。【解決手段】対向する対の開閉片２１，２１を回転軸３１で回動自在に連結し、その先端に、固定リング１０の治具用孔１６，１６に嵌る対の係合子２６，２６を設ける。その回転軸３１をトグル機構４０の固定側５１のフレーム４１に支持し、前記トグル機構４０の可動側５２のシャフト４２に、その進退運動を回転運動に変換するリンク手段３０を介して前記対の開閉片２１，２１を接続する。リンク手段３０は、前記回転軸３１と、前記対の開閉片２１，２１の後端３２，３２及びシャフト４２に回転自在に支持される対の連結部材３５，３５とで構成され、トグル機構４０の操作によりシャフト４２は常に一定距離進退して開閉片２１，２１が回動するので、固定リング１０の拡径、取付がワンタッチで速やかにできる。また、係合子２６，２６は、常に一定の距離接離するので、拡縮トルクを一定とし得る。【選択図】図２
2006297550.tif 000002
【特許請求の範囲】
【請求項１】
対向する対の開閉片２１，２１を回動自在に連結し、挿し口２ａの防食コア３を固定する固定リング１０に形成された拡径用又は縮径用の対の治具用孔１６，１６に嵌る対の係合子２６，２６を、前記対の開閉片２１，２１の先端にそれぞれ設け、前記対の開閉片２１，２１の回動に伴う前記対の係合子２６，２６の接離により、前記挿し口２ａに前記固定リング１０を拡径又は縮径された状態で取付ける固定リング取付用治具において、
上記対の開閉片２１，２１をトグル機構４０の固定側５１に取り付け、前記トグル機構４０の可動側５２に、その可動側５２の進退運動を回転運動に変換するリンク手段３０を介して前記対の開閉片２１，２１を接続し、前記可動側５２の進退により前記対の開閉片２１，２１を回動させて上記対の係合子２６，２６を接離可能としたことを特徴とする固定リング取付用治具。
【請求項２】
上記リンク手段３０は、上記トグル機構４０の固定側５１に不動に固定されたフレーム４１に上記対の開閉片２１，２１を同一平面内で回動自在に支持する回転軸３１と、前記対の開閉片２１，２１の後端３２，３２及び前記トグル機構４０の可動側５２と一体に進退するシャフト４２に、それぞれ前記回転軸３１と同一軸心方向の回転軸３３，３４を介して回転自在に支持される対の連結部材３５，３５とで構成され、前記シャフト４２の進退により対の連結部材３５，３５は対の開閉片２１，２１を前記回転軸３１回りに回動させることを特徴とする請求項１に記載の固定リング取付用治具。
【発明の詳細な説明】
【技術分野】
【０００１】
この発明は、水道管等に用いられる金属管の継ぎ手部において、切管により形成した挿し口端面の防食に関するものである。
【背景技術】
【０００２】
水道管等に用いられるダクタイル管の現地切管の端面には、従来から、切管端面防食用の塗料を塗布し、乾燥させた後に接合を行ってきた。しかし、この塗料は、乾燥に時間がかかることから施工性が悪く、この手法は、管路の流水を止めることなく管路の切替工事等を行う際には使用できないという問題がある。また、切管端面のエッジ部には、塗料が載りにくく工場塗装品に比べて防食性能が劣るという問題もある。
【０００３】
そこで、機械的な防食方法として、切管端面に防食コアを取付ける技術が開示されている。例えば、特許文献１又は特許文献２に示す挿し口端面の防食構造は、本発明の実施形態の説明図である図５に基づいて説明すると、挿し口２の端面部２ａ全周に断面コ字状の防食コア３が嵌められており、その防食コア３の内周面にステンレス製の防食コア固定リング１０を宛がって、その固定リング１０を専用治具で拡径することにより、その防食コア３を挿し口２に固定するものである。
【０００４】
この固定リングを拡径するに際し、固定リング取付用治具を使用する。
例えば、特許文献３に記載の取付用治具は、挿し口の防食コア内周面に宛がわれた固定リングの対の係合孔部に、その治具の開閉片先端の対の係合子をそれぞれ差し込む。治具のグリップの両後端間を結ぶボルト軸の一端に当て板、スプリングを介してチョウナットが取り付けられており、そのチョウナットを締め付けることによりスプリングが縮んでグリップ両後端間が狭められ、逆に治具先端の対の係合子は押し広げられる。
対の係合子は押し広げられることにより、前記固定リングは拡径して防食コア内周面に圧接し、その後、縮径防止孔部に臨む縮径防止材を折り曲げて拡径状態を維持した後、治具を取り外す。
【０００５】
さらに、特許文献４に記載の取付用治具は、上記特許文献３に記載の治具のグリップ両後端間を常時近接する方向へ付勢し、対の係合子を押し広げる際の作業性を改善したものである。
【０００６】
【特許文献１】特開２００２−７１０８５号公報
【特許文献２】特開２００２−２７６８８７号公報
【特許文献３】特開２００２−２８８７５号公報
【特許文献４】特開２００３−２９１０７５号公報
【発明の開示】
【発明が解決しようとする課題】
【０００７】
しかし、上記特許文献３、特許文献４に記載の固定リング取付用治具は、拡径（又は縮径）の際に所定の位置までチョウナットを締め付ける作業が伴う。このとき、締め付け作業中は、片手で治具を持ち、もう一方の手で締付ナットを締め付けることとなるが、その締付けの間、治具が動かないようにしっかりと保持する必要があるので、さらに確実かつ速やかに固定リングを拡縮径及び固定可能な治具が望まれる。
【０００８】
そこで、この発明は、固定リングの拡縮径及び固定を確実かつ速やかにできるようにすることを課題とする。
【課題を解決するための手段】
【０００９】
上記の課題を解決するために、この発明は、トグル機構の可動側に、その可動側の進退運動を回転運動に変換するリンク手段を介して対の開閉片を接続し、その両開閉片の回動運動によりその両開閉片の先端の係合子を接離可能としたのである。
【００１０】
トグル機構は、固定側（フレーム）と可動側（シャフト）とをリンクで連結し、そのリンクのハンドル操作により、固定側に対し可動側を一定長さ進退させるものであり、ワンタッチのハンドル操作によりその進退を行うことができるとともに、トグル機構は、ハンドル操作が、ある点(死点)を過ぎるとリンクに作用する反力の方向が逆になる（本発明の実施形態の説明図である図２に示す矢印Ｆ，Ｆ’を参照）ので、ハンドルがその点を超えた後は、可動側の進退位置を固定側に対しセルフロックできる。
このため、その可動側の進退により開閉する開閉片の前記係合子は、常に一定の距離で接離し、その接離距離を固定リングの拡径幅（拡径用孔部間距離の拡大量）、又は縮径幅に設定しておけば、固定リングは、常に所定の拡縮径幅となり、その拡縮径後の位置を維持できる。
したがって、作業がワンタッチで速やかにできるとともに、トルク管理も容易である。
【発明の効果】
【００１１】
この発明は、以上のようにしたので、固定リングの拡縮径及び固定を確実かつ速やかにできる。
【発明を実施するための最良の形態】
【００１２】
上記手段の実施形態として、対向する対の開閉片を回動自在に連結し、挿し口の防食コアを固定する固定リングに形成された拡径用又は縮径用の対の治具用孔に嵌る対の係合子を、前記対の開閉片の先端にそれぞれ設け、前記対の開閉片の回動に伴う前記対の係合子の接離により、前記挿し口に前記固定リングを拡径又は縮径された状態で取付ける固定リング取付用治具において、前記対の開閉片をトグル機構の固定側に取り付け、前記トグル機構の可動側に、その可動側の進退運動を回転運動に変換するリンク手段を介して前記対の開閉片を接続し、前記可動側の進退により前記対の開閉片を回動させて前記対の係合子を接離可能としたものである。
【００１３】
このようにすれば、トグル機構を操作することによりシャフトは常に一定距離進退し、その進退により開閉片が常に一定角度回転する。開閉片の回転により前記係合子は、常に一定の距離で接離するので、作業がワンタッチで速やかにできる。また、その接離距離を固定リングの拡径幅又は縮径幅に設定しておけば、固定リングは、常に所定の拡縮径幅となり、その拡縮径後の位置を維持できるので、固定リングを挿し口に確実に固定できる。
【００１４】
上記の構成において、上記リンク手段は、上記トグル機構の固定側に不動に固定されたフレームに上記対の開閉片を同一平面内で回動自在に支持する回転軸と、前記対の開閉片の後端及び前記トグル機構の可動側と一体に進退するシャフトに、それぞれ前記回転軸と同一軸心方向の回転軸を介して回転自在に支持される対の連結部材とで構成され、前記シャフトの進退により対の連結部材は対の開閉片を前記回転軸回りに回動させるようにした構成を採用し得る。
【００１５】
このようにすれば、開閉片及びリンク手段の可動部は、すべて同一平面内で動作するので、開閉片の回転が安定し、係合子が治具用孔から外れにくい。このため、固定リングを挿し口により確実に固定できる。
【実施例】
【００１６】
一実施例を図１乃至図４に示す。この実施例の固定リング取付用治具２０は、図１に示すように、対向する対の開閉片２１，２１を、フレーム４１に固定された回転軸３１を介して回動自在に連結し、前記対の開閉片２１，２１の先端にそれぞれ対の係合子２６，２６を設けている。
【００１７】
この対の係合子２６，２６は、上記対の開閉片２１，２１の先端に設けられた補助片２２，２２の先端に、それぞれピン２７，２７を嵌めて、あるいはねじ込んで固定し、その両ピン２７，２７の先端を各係合子２６，２６としている。そして、対の係合子２６，２６は、図５及び図６に示す挿し口２ａの防食コア３を固定する固定リング１０に形成された拡径用又は縮径用の対の治具用孔１６，１６に嵌るようになっている。
【００１８】
上記回転軸３１が支持されるフレーム４１は、トグル機構（トグルクランプ機構）４０の固定側５１に不動に固定されている。
トグル機構４０は、上記固定側５１とその固定側５１に対して進退する可動側５２とからなり、その固定側５１は、前記フレーム４１と、そのフレーム４１にボルト固定されたトグルクランプ４１ｂと、そのトグルクランプ４１ｂに設けられた案内ボス４３とからなる。
トグル機構４０の可動側５２と一体に進退するシャフト４２が、その固定側５１の案内ボス４３に挿通されている。可動側５２は、そのシャフト４２の他端において、固定筒４８、固定ねじ４９、及びピン４７を介して連結されたハンドル付リンク（以下、トグルクランプハンドルと言う）５０と、そのトグルクランプハンドル５０とトグルクランプ４１ｂとの間にピン４４，４６を介して連結されたリンク４５とからなる。
【００１９】
このトグル機構４０を成すフレーム４１、トグルクランプ４１ｂ、シャフト４２の他端、リンク４５、トグルクランプハンドル５０は、スライダ・クランク機構の一部をなし、トグルクランプハンドル５０を図２の実線の状態から同鎖線の状態に回転（矢印Ｒ方向）することにより、フレーム４１（案内ボス４３）に対しシャフト４２の他端が一定長さＬだけ、前記案内ボス４３から離れる方向へ進行し、トグルクランプハンドル５０が図中鎖線に示す状態に至れば、トグルクランプハンドル５０を逆方向に回転しない限り、シャフト４２の他端は後退しないようセルフロックされるようになっている。
【００２０】
一方、上記対の開閉片２１，２１は、そのトグル機構４０の可動側５２（シャフト４２）の進退運動を回転運動に変換するリンク手段３０を介して接続されている。        
【００２１】
上記リンク手段３０は、上記トグル機構４０の固定側５１に不動に固定されたフレーム４１に、上記対の開閉片２１，２１を同一平面内で回動自在に支持する１本の回転軸３１と、前記対の開閉片２１，２１の後端３２，３２及び前記トグル機構４０の可動側５２と一体に進退するシャフト４２の一端に取り付けられた支持部３６に、それぞれ上記回転軸３１と同一軸心方向の回転軸３３，３４を介して回転自在に支持される対の連結部材３５，３５とで構成され、前記シャフト４２及び支持部３６の進退により対の連結部材３５，３５は対の開閉片２１，２１を前記回転軸３１回りに回動させる。
【００２２】
したがって、上記可動側５２の進退により上記対の開閉片２１，２１を回動するので、その対の開閉片２１、２１先端に設けた上記対の係合子２６，２６が接離（接近離反）可能となっている。
【００２３】
この実施例は以上の構成であり、この治具２０により、図５及び図６に示した固定リング１０を取付ける場合について説明すると、まず、図６（ａ）（ｂ）のように組んだ固定リング１０を、図５に示す状態で防食コア３の溝に嵌めて、その後、治具２０の係合子２６を、治具用孔１６に嵌める（図３参照）。
【００２４】
このとき、固定リング１０における治具用孔１６，１６間の距離は、固定リング１０の大きさが同じで、且つ管の呼び径が同一の場合においても常に一定ではなく、その距離は、挿し口毎にそれぞれ僅かに異なる。このため、治具２０の対の係合子２６，２６を治具用孔１６，１６に嵌める際に、上記対の開閉片２１，２１間の開度角度（対の係合子２６，２６間距離）を微調整する必要が生じる。また、この治具２０は、管の呼び径が異なる挿し口に使用する場合にも、上記距離を調整する必要が生じ得る。したがって、その際には、以下の手法によりその距離を調整することができる。
【００２５】
すなわち、図２に示すように、トグル機構４０のトグルクランプハンドル５０の一端５０ａは、シャフト４２に対して、固定筒４８、固定ねじ４９、及びピン４７を介して連結されて軸方向移動自在になっており、その固定ねじ４９により、軸方向任意の位置で固定可能となっている。
このため、その固定ねじ４９を緩めれば、固定側５１に対する可動側５２（シャフト４２）の進退量を調整することができる。シャフト４２の進退量を調整することにより、その進退に伴う対の開閉片２１，２１の開度角度、及び対の係合子２６，２６の距離も調整できる。また、その固定ねじ４９を締めれば、その調整した状態において、対の開閉片２１，２１を動かないように固定できる。したがって、トグルクランプハンドル５０を操作しない限り、対の係合子２６，２６間の距離は不動となり、治具用孔１６，１６への位置合わせが容易である。
【００２６】
つぎに、図２の実線の状態から同鎖線の状態に（矢印Ｒ方向）、トグルクランプハンドル５０の操作部５０ｂを起こして反対側に回転させると、上記対の開閉片２１，２１が、図３に示す状態から図４に示す状態へと開くように回動する。
【００２７】
この回動に伴う上記対の係合子２６，２６の離反により、上記挿し口２ａに前記固定リング１０が拡径される（固定リング１０に所定の拡径力が働く）。このとき、トグルクランプハンドル５０を逆方向に回転しない限り、シャフト４２の他端は後退しない。また、トグルクランプハンドル５０の回転は、トグル機構４０の特質上容易であり、操作はワンタッチで可能である。また、そのトルク（固定リング１０の拡径力）は、常に一定であるとともに、拡径後は、特に力を加えることなくその状態を維持できる。
【００２８】
この後、固定リングの係止片１５を図６（ｃ）及び図５のごとく折り曲げ、固定リング１０が円周方向に縮まないように固定する。固定リング１０の取付けが終了すれば、固定ねじ４９を緩めて治具２０をリング１０から取り外す。
【００２９】
なお、上記対の開閉片２１，２１の先端には、それぞれ補助片２２，２２が設けられている。各補助片２２，２２は、図示するキー２３，２３と、そのキー２３，２３が嵌る溝２１ａ，２１ａとを介して、開閉片２１，２１に対してその開閉片２１の長さ方向（回転軸３１から遠ざかる方向）任意の位置に位置調整可能となっており、その補助片２２，２２の位置を選択した後、その位置で、長孔２４，２４に挿通された固定ねじ２５，２５を締付けて固定すれば、係合子２６，２６の接離距離を調整し得る。また、この手法によれば、口径の異なる挿し口にも対応できるようになる。
【００３０】
また、この発明の固定リング取付用治具２０は、防食コア３の固定リング１０の拡径に適用し得るのみならず、開閉片２１の回動方向を変更することにより縮径にも使用できることはもちろんであり、また、防食コア３を介在させる場合のみならず、拡縮径させて固定する全ての固定リングに適用し得ることは言うまでもない。
【図面の簡単な説明】
【００３１】
【図１】一実施例の斜視図
【図２】同実施例の側面図
【図３】図２の平面図で拡径前の状態を示す
【図４】図２の平面図で拡径後の状態を示す
【図５】固定リングの取り付け状態を示す斜視図
【図６】固定リングの斜視図で、（ａ）は取り付け前、（ｂ）は環状に嵌めた状態（拡径前）、（ｃ）は拡径後の状態を示す。
【符号の説明】
【００３２】
１  防食構造
２  管
２ａ  挿し口
３  防食コア
１０  固定リング
２０  固定リング取付用治具
２１  開閉片
２２  補助片
２３  キー
２４  長孔
２５，４９  固定ねじ
３０  リンク手段
３１，３３，３４  回転軸
３２  後端
３５  連結部材
３６  支持部
４０  トグル機構（トグルクランプ機構）
４１  フレーム
４２  シャフト
４３  案内ボス
４４，４６，４７  ピン
４５  リンク
４８  固定筒
５０  トグルクランプハンドル
５１  固定側
５２  可動側
【図１】
2006297550.tif 000003
【図２】
2006297550.tif 000004
【図３】
2006297550.tif 000005
【図４】
2006297550.tif 000006
【図５】
2006297550.tif 000007
【図６】
2006297550.tif 000008